(57)【要約】【課題】住宅の換気システムにおいて、天井懐の構造躯体による影響を回避し、天井材の設置高さの変更を生じることなく、また容易に施工できるチャンバー構造を有する換気システムを目的とする。【解決手段】天井懐１に設置され、送風部２とチャンバー部３を具備した換気装置４と、屋外の外壁に設置される外気取入口５と、前記外気取入口５と前記送風部２を接続する屋内導入ダクト部６と、前記チャンバー部３に接続される給気ダクト部７および各居室８の天井面、壁面もしくは床面に設置され外気を前記居室８内に供給する室内給気口９からなる換気システムであり、換気運転開始前後において、チャンバー内部空間の容積が可変することにより、従来の設置困難なスペースにおいても設置することができることを可能にした換気システム。【選択図】図1
2006292207.tif 000002
【特許請求の範囲】
【請求項１】
送風部とチャンバー部を具備した換気装置と、外気取入口と、前記外気取入口と前記送風部を接続する屋内導入ダクト部と、前記チャンバー部に接続される給気ダクト部および居室内に供給する室内給気口からなる換気システムであって、前記チャンバー部の外殻が変形自在な可変となるようにしたことを特徴とする換気システム。
【請求項２】
前記チャンバー部の外殻の一部または全部が変形可能な樹脂製のシート材料であることを特徴とする請求項１記載の換気システム。
【請求項３】
前記チャンバー部の外殻の一部または全部が布製のシート材料であることを特徴とする請求項１記載の換気システム。
【請求項４】
前記換気装置から離れた各居室の換気給気口の近傍まで前記換気装置の前記チャンバー部を形成し、空気を供給することを特徴とする請求項１〜３のいずれかに記載の換気システム。
【請求項５】
前記チャンバー部の外殻に、前記給気ダクト部を取り付ける前記ダクト接続口を複数設けたことを特徴とする請求項１〜４のいずれかに記載の換気システム。
【請求項６】
前記ダクト接続口は、開口径の異なるダクト接続口を複数設けたことを特徴とする請求項１〜５のいずれかに記載の換気システム。
【請求項７】
前記給気ダクト部は、前記チャンバー部と一体的に形成されたことを特徴とする請求項１〜５のいずれかに記載の換気システム。
【請求項８】
前記チャンバー部に接続する前記給気ダクト接続部を介して第２のチャンバー部を設けたことを特徴とする請求項１〜５のいずれかに記載の換気システム。
【請求項９】
吊り下げ部材により前記チャンバー部を吊り下げる構成により、前記チャンバー部の空間を確保することを特徴とする請求項１〜５のいずれかに記載の換気システム。
【請求項１０】
前記チャンバー部の内部に空間を確保するための保持具をもうけたことを特徴とする請求項１〜５のいずれかに記載の換気システム。
【請求項１１】
前記保持具は、前記チャンバー部の外殻の内側に接し、弾性を有する金属もしくは硬質系樹脂からなる複数のリング形状を形成することを特徴とする請求項８記載の換気システム。
【請求項１２】
前記保持具は、前記チャンバー部の外殻の内側に接し、弾性を有する金属もしくは硬質系樹脂からなるスパイラル形状の形成することで前記チャンバー部の内部空間を確保することを特徴とする請求項８記載の換気システム。
【請求項１３】
前記保持具は、前記チャンバー部の外殻の内側に、弾性を有する金属もしくは硬質系樹脂からなるシート状の芯材を挿入することで前記チャンバー部の内部空間を確保することを特徴とする請求項８記載の換気システム。
【発明の詳細な説明】
【技術分野】
【０００１】
本発明は、住宅の換気システムに関する。
【背景技術】
【０００２】
住宅の換気システムの一手法としてダクトを用いて各居室に給気するセントラルダクト式がある。このセントラル換気システムは、住宅の天井懐に設置され、屋外からの新鮮空気を送風機によって昇圧したのちに複数のダクトで各居室に屋外の空気を供給している。前記送風機において送風された給気風量は、チャンバー空間に送られ各ダクトに分配している。このチャンバー空間は通常送風機と一体化され、金属または樹脂の筺体で形成され、複数の給気ダクト接続口が具備しているものが一般的である。そこで、前記チャンバー空間を前記金属または樹脂を用いないものとして特開平１０−１９３５３号公報が知られている。
【０００３】
以下、図３を以って説明する。空気の混合あるいは気流分配等に用いられるチャンバー本体１０１であって、組立、分解可能なフレーム部材１０２と、全体を外面から被覆し、チャンバー本体１０１を形成するように接合部１０３を備えた被覆部材１０４と、を有し、この被覆部材１０４にはダクト接続用の連通孔１０５が形成されてなる空調チャンバー装置から構成され、運転時において送風孔１０６からの送風を前記ダクト接続用の連通孔１０５から各給気ダクトに分配されている。
【特許文献１】特開平１０−１９３５３号公報
【発明の開示】
【発明が解決しようとする課題】
【０００４】
しかし、この天井懐内に設置したチャンバー装置の本体の被覆部材は非通気性シートもしくは通気性シートであるが、チャンバー本体の空間の形成を保持するためフレーム部材を用いている。このため、設置場所において構造躯体の寸法などにより所定のフレーム構造を用いなくてはならないため部材工数が多く、現場での組立て作業が多く、施工が煩雑あるという第１の課題があり、また、チャンバー空間の設置の際は、フレーム構造とのとりあいが困難な場合チャンバー空間の設置が困難になるという第２の課題があり、また、チャンバー本体から接続される給気ダクト部は、従来からの樹脂または金属部材で構成されたチャンバー部材と同じチャンバー空間であり、給気ダクト部は、各吹出し口までのダクト接続長さが、長く施工に要する工数が減少されていないという第３の課題があり、また、天井懐内においてチャンバーが設置困難な場合は、天井全体または、一部の天井を下げることが必要であるという第４の課題があった。
【０００５】
本発明は、このような従来の課題を解決するものであり、送風ユニットのチャンバー本体を細かなフレーム構造とし、天井懐内に施設することで、簡単に設置することをを目的としている。また、内部空間が送風前後で容易に容積を変更できる素材で構成し、住宅の天井懐の設置スペースが構造躯体や他の設備機器などで設置が困難となる場合においても、設置場所を変更するなどの措置を行わなくても本体の換気装置を設置できるようにすることを目的とする。また、チャンバー本体の給気ダクト接続口を容易に設置することが可能な構造とすることで、給気ダクトの設置距離を短くし、給気ダクト接続口に引張力がかかった場合でも施工接続口の方向がずれることをなくし、また、給気口とチャンバー本体内とのダクト長さを短縮して、設置を容易とすることを目的とする。また、本チャンバー空間はフレーム構造として、ダクト設置が困難な空間においても容易にチャンバーを設置し、また、ダクト設置のために天井を下げるなどの処理を行わなくてよい換気システムの提供を目的としている。
【課題を解決するための手段】
【０００６】
本発明のうち請求項１〜３記載の発明は、上記目的を達成するために、送風部とチャンバー部を具備した換気装置と、屋外の外壁に設置される外気取入口と、前記外気取入口と前記送風部を接続する屋内導入ダクト部と、前記チャンバー部に接続される給気ダクト部および各居室の天井面、壁面もしくは床面に設置され外気を居室内に供給する室内給気口からなる換気システムであって、前記チャンバー部の外殻の一部または全部を柔軟なシート材料で構成することにより換気運転の開始前後において、チャンバー部の容積を可変、すなわち、チャンバー部の外殻の大きさ、形状等が変形自在な可変となるようにしたものである。このシート材料については、例えばポリアミド樹脂などの樹脂製もしくは、外殻の表面を居室へ給気するための空気が抜けないように樹脂コーティングした布製の素材で構成されており簡単に形を変えることができる。これにより天井懐内に設置する空間が充分でない場合においてもチャンバーを設置することができる。これにより、チャンバー空間の設置位置の自由度が確保または、向上する換気システムが得られる。
【０００７】
また、請求項４の発明は、上記課題を達成するために、前記換気装置から離れた各居室の換気給気口の近傍まで前記換気装置の前記チャンバー部を配置し、空気を供給することができるチャンバーを備えるものであり、ダクト設置が困難な場合においてもチャンバー空間を配置させることで各吹出口に供給が可能となる換気システムが得られる。
【０００８】
また、請求項５の発明は、上記課題を達成するために、前記給気ダクト部を取り付ける前記ダクト接続口を複数設けたことを特徴とする。これにより、チャンバー空間内において複数の給気接続口を設置することが可能となる換気システムが得られる。
【０００９】
また、請求項６記載の上記課題を達成するために、開口径の異なるダクト接続口を複数設けたことを特徴とする。これにより、吹出口からの必要な給気量もしくは、ダクト施工の可能なダクト径を接続することが可能となる換気システムが得られる。
【００１０】
また、請求項７の発明は、上記課題を達成するために、チャンバー部とダクト部が一体的に形成されたことを特徴とする。これにより、部材数が削減できるとともに施工工数がが簡略化された換気システムが得られる。
【００１１】
また、請求項８の発明は、上記課題を達成するために、給気ダクト部を介して第２のチャンバー部を設けたことを特徴とする。これにより、設置住宅において第２のチャンバー接続することが可能となり住宅の平面の規模が大きな場合や通常の吹出口よりも多くの吹出口を必要とする場合など、安定した風量を供給することのできる換気システムが得られる。
【００１２】
また、請求項９の発明は、上記課題を達成するために、吊り下げ部材により前記チャンバー部を吊り下げる構成とすることで、前記チャンバー部の空間を確保することを特徴とする。これにより、前記チャンバー空間が自重により空気の搬送空間を閉鎖してしまうことがない換気システムが得られる。
【００１３】
また、請求項１０の発明は、上記課題を達成するために、前記チャンバー部の内部に空間を確保するための保持具をもうけたことを特徴とする。これにより、前記チャンバー部の空間を確保することを特徴とする。これにより、前記チャンバー空間が自重により空気の搬送空間を閉鎖してしまうことにより各吹出口から給気することができなくなることがない換気システムが得られる。
【００１４】
また、請求項１１の発明は、上記課題を達成するために、前記チャンバー部の外殻の内側に接し、弾性を有する金属もしくは硬質系樹脂からなる複数のリング形状を形成することを特徴とする。これにより、前記チャンバー空間が自重により空気の搬送空間を閉鎖してしまうことがない換気システムが得られる。
【００１５】
また、請求項１２の発明は、上記課題を達成するために、前記チャンバー部の外殻の内側に接し、弾性を有する金属もしくは硬質系樹脂からなるスパイラル形状の形成することで前記チャンバー部の内部空間を確保することを特徴とする。これにより、前記チャンバー空間が自重により空気の搬送空間を閉鎖してしまうことがない換気システムが得られる。
【００１６】
また、請求項１３の発明は、上記課題を達成するために、前記チャンバー部の外殻の内側に、弾性を有する金属もしくは硬質系樹脂からなるシート状の芯材を挿入することで前記チャンバー部の内部空間を確保することを特徴とする。これにより、前記チャンバー空間が自重により空気の搬送空間を閉鎖してしまうことがない換気システムが得られる。
【発明の効果】
【００１７】
本発明によれば、送風ユニットのチャンバー空本体の内部空間が送風前後で容易に容積を変更できる素材（例えばポリアミド樹脂などの樹脂製もしくは、外殻の表面を居室へ給気するための空気が抜けないように樹脂によりコーティングした布製の素材）で構成されているため、住宅の天井懐の設置スペースが充分とれない場合や他の設備機器などで設置が困難となる場合でも、容易に設置することが可能となる。また、チャンバー本体の給気ダクト接続口を容易に設置することが可能な構造とすることで、給気ダクトの設置距離を短くすることができるため、給気ダクト接続口に引張力がかかった場合でも施工接続口の方向がずれることがなくなり、また、給気口とチャンバー本体内とのダクト長さが短縮でき、設置が容易となる。また、本チャンバー空間はフレーム構造としないためダクト設置が困難な空間においても容易にチャンバーを有する換気システムを提供することができる。
【発明を実施するための最良の形態】
【００１８】
本発明の請求項１〜３記載の発明は、送風部とチャンバー部を具備した換気装置と、屋外の外壁に設置される外気取入口と、前記外気取入口と前記送風部を接続する屋内導入ダクト部と、前記チャンバー部に接続される給気ダクト部および各居室の天井面、壁面もしくは床面に設置され外気を居室内に供給する室内給気口を備え、前記チャンバー部の外殻の一部または全部を柔軟なシート材料で構成することによりチャンバー部の容積を可変できる樹脂性または布製の素材を用いたものである。ここで、可変とは、換気運転の有無により前記チャンバー部の容積が変わる形態を要していれば良く、変形や可動も可変に含まれ、チャンバー部の外殻が変形自在な可変となるようにしたものである。外殻の大きさ、形状等が変形自在な可変構成としたものである。これにより、住宅の天井懐内へのチャンバー設置が容易となる換気システムを得ることができるという作用を有する。
【００１９】
また、請求項４記載の発明は、前記換気装置の前記チャンバー部を延長して備え、換気装置から離れた各換気給気口の近傍まで、施工時において、一人で簡単に天井懐まで持ち上げて接続することが可能な２m程度の短いダクトで設置することができるという作用を有する。
【００２０】
また、請求項５記載の発明は、前記チャンバー部の外殻に、前記給気ダクト部を取り付ける前記ダクト接続口を複数備えたものであり、各換気給気口とチャンバーを接続することで、供給することができるという作用を有する。
【００２１】
また、請求項６記載の発明は、前記ダクト接続口は、開口径の異なるダクト接続口を複数備えたものであり、各換気給気口の使用ダクト、もしくは配置可能なダクト径を任意に接続ことができるという作用を有する。
【００２２】
また、請求項７記載の発明は、前記給気ダクト部が、前記チャンバー部と一体的に形成されたものであり、チャンバー配置とダクト配置が同時にでき施工工数の短縮ができるという作用を有する。
【００２３】
また、請求項８記載の発明は、前記チャンバー部に接続する前記給気ダクト部を介して第２のチャンバー部を備えたものであり、大型の住宅などで給気口の数の増加や広範囲にチャンバーを広げることができるという作用を有する。
【００２４】
また、請求項９記載の発明は、吊り下げ部材により前記チャンバー部を吊り下げる構成ととしたものであり、前記吊り下げ部材によりチャンバー内部の空間を確保することにより、給気空気の風路を閉ざすことなく、給気することができるという作用を有する。
【００２５】
また、請求項１０記載の発明は、前記チャンバー部の内部に空間を確保するための保持具を備えたものであり、前記保持具により給気空気の風路を閉ざすことなく、給気することができるという作用を有する。
【００２６】
また、請求項１１記載の発明は、前記保持具についての発明であり、前記チャンバー部の外殻の内側に接し、弾性を有する金属もしくは硬質系樹脂からなる複数のリング形状を備えたものであり、前記保持具により給気空気の風路を閉ざすことなく、給気することができるという作用を有する。
【００２７】
また、請求項１２記載の発明は、前記保持具についての発明であり、前記チャンバー部の外殻の内側に接し、弾性を有する金属もしくは硬質系樹脂からなるスパイラル形状を備えたものであり、前記保持具により給気空気の風路を閉ざすことなく、給気することができるという作用を有する。
【００２８】
また、請求項１３記載の発明は、前記保持具についての発明であり、前記チャンバー部の外殻の内側において、弾性を有する金属もしくは硬質系樹脂からなるシート状の芯材を挿入することで前記チャンバー部の内部空間の確保するものであり、前記保持具により給気空気の風路を閉ざすことなく、給気することができるという作用を有する。
【００２９】
以下、本発明の実施の形態について図面を参照しながら説明する。
【００３０】
（実施の形態）
図１は実施の形態１における換気システムの概略配置図を示す。
【００３１】
図１に示す換気システムは、天井懐１に設置される換気システムであり、送風部２とチャンバー部３を具備した換気装置４と、屋外の外壁に設置される外気取入口５と、前記外気取入口５と前記送風部２を接続する屋内導入ダクト部６と、前記チャンバー部３に接続される給気ダクト部７および各居室８の天井面、壁面もしくは床面に設置され外気を前記居室８内に供給する室内給気口９からなる換気システムである。前記チャンバー部３には、吊り下げ部材１０により、前記チャンバー部３の内部空間の保持されている。
【００３２】
上記構成において前記送付部２は、ファンとモータから構成された送風機１１が備えられており、前記チャンバー部３の外殻を柔軟なシート材料であり、例えばポリアミド樹脂などの樹脂製もしくは、外殻の表面を居室へ給気するための空気が抜けないように樹脂によりコーティングした布製の素材で構成されている。チャンバー部３の外殻の大きさ、形状等が変形自在な可変となる。よって、住宅の構造躯体１２が、前記チャンバー部３の近傍に設置してある場合などにおいても、柔軟な前記チャンバー部３の外殻の構造においてチャンバー構造を保持することが可能となる。また、前記チャンバー部３には、予め複数のダクト径の開口が用意されており、最適なダクト径を選択することができるとともに、給気位置は、施工時に決定することができる。
【００３３】
また、前記屋内導入ダクト部６と前記給気ダクト部７は、屋外の空気の流通が可能な構成であれば、使用される素材については金属などの他の素材についても可能である。
【００３４】
また、前記チャンバー部３において、チャンバー内部空間を保持する保持具としては、前記チャンバー外殻内部に弾性を有する例えば、ポリアミド樹脂などの硬質系樹脂からなる複数のリング形状または、スパイラル形状の保持具をチャンバー内部に設置するもしくは、チャンバー外殻が複数構成となっていた場合、その外殻内部に設置されることができる。
【００３５】
また、前記吊り下げ部材１０は、ワイヤー形状などのアルミ、ステンレスや、ポリアミド樹脂などの素材により、前記チャンバー部材の外殻表面に前記吊り下げ部材１０との接続が可能となるように吊り下げ接続部が備えられている。
【００３６】
図２は換気システムの住宅に設置した場合の概略平面図を示す。
【００３７】
図２に示すように、住宅１３に設置され前記チャンバー部３に直接に前記給気ダクト部７を接続する場合や、前記チャンバー部３を設置した直下部に居室８がある場合、前記室内給気口９を直接、設置できるようにしている。また、設置される前記住宅１３の平面規模が大なる場合、前記チャンバー部３に新たなチャンバー部３を接続し、複数のチャンバーからなる換気システムを構成することができる。前記チャンバー部３は、予め複数のダクト接続口１４が用意されており、ダクト設置時は、最も近い前記ダクト接続口１４を使用することで、ダクト部材長さ及び、ダクト施工に要する工数や時間が短縮可能となる。
【００３８】
また、前記チャンバー部３の下部に室内給気口９が存在する場合、前記室内給気口９のダクト接続口１４と前記チャンバー部３は、前記給気ダクト７を介さず接続することにより、居室８への給気が行われる。また、前記ダクト接続口１４は、別途用意したチャンバー部３の接続をすることも可能である。なお、別のチャンバー部３の接続が可能なファスナー形状を有したダクト接続部を有することで複数のチャンバー部３の接続できる構造とするなどが考えられる。前期チャンバー部３の接続部については、マジックテープ（登録商標）、接着剤など、他の方式を用いていても供給空気の流通が可能な形態であれば、その仕様は問わない。
【産業上の利用可能性】
【００３９】
本発明は、住宅内の換気システムについて各居室に給気される送風部の給気風量を柔軟な構造を持つチャンバーの外殻をもつことで容易に設置することが可能となる。
【図面の簡単な説明】
【００４０】
【図１】実施の形態における換気システム概略図
【図２】実施の形態における換気ユニットの概略平面図
【図３】従来の換気システムのチャンバー部を表す図
【符号の説明】
【００４１】
１    天井懐
２    送風部
３    チャンバー部
４    換気装置
５    外気取入口
６    屋内導入ダクト部
７    給気ダクト部
８    居室
９    室内給気口
１０  吊り下げ部材
１１  送風機
１２  構造躯体
１３  住宅
１０１  チャンバー本体
１０２  フレーム部材
１０３  接合部
１０４  被覆部材
１０５  ダクト接続連通孔
１０６  送風孔
【図１】
2006292207.tif 000003
【図２】
2006292207.tif 000004
【図３】
2006292207.tif 000005